【手続補正書】
【提出日】平成15年6月2日(2003.6.2)
【手続補正１】
【補正対象書類名】明細書
【補正対象項目名】特許請求の範囲
【補正方法】変更
【補正の内容】
【特許請求の範囲】
【請求項１】
曲別の音楽信号がディジタル記録された録音済記録媒体を所定の規定速度または該規定速度より高速な所定の高速再生速度で再生し、ディジタル音楽信号を出力する再生手段と、再生手段から入力したディジタル音楽信号を録音用記録媒体に所定の規定速度または該規定速度より高速な所定の高速録音速度でディジタル録音する録音手段と、録音済記録媒体に記録された内、指定された順序で１または複数の曲を録音用記録媒体に高速ダビングする指示が与えられると、当該録音済記録媒体に記録された当該１または複数の曲の各々について当該指定された順序で、再生手段を制御して所定の規定速度より高速な所定の高速再生速度で再生させながら録音手段を制御して録音用記録媒体に所定の規定速度より高速な所定の高速録音速度で録音させる高速ダビング制御手段と、を備えたダビング装置において、
高速ダビングした録音済記録媒体に関する識別情報と、前回の高速ダビングの指示に基づき高速ダビングを開始した高速ダビング開始時間を対応付けて著作権用参照情報として著作権用参照情報記憶手段に登録する登録手段と、
著作権用参照情報記憶手段に登録された著作権用参照情報の内、前回の高速ダビングの指示に基づき高速ダビングを開始した時間からの経過時間が所定の高速ダビング禁止時間を越えた著作権用参照情報を削除する削除手段を設け、
前記ダビング制御手段は、録音済記録媒体に記録された内、１または複数の曲を指定された順序で録音用記録媒体に高速ダビングする指示が与えられると、高速ダビングが指示された当該１または複数の曲の各々について当該指定された順序で見て、次にダビングすべき１つの曲のダビング開始時点で、当該録音済記録媒体に関する識別情報と同一の識別情報を含む著作権用参照情報が登録されていないときは、当該録音済記録媒体に記録された当該１または複数の曲の各々について当該指定された順序で、再生手段を制御して所定の規定速度より高速な所定の高速再生速度で再生させながら録音手段を制御して録音用記録媒体に所定の規定速度より高速な所定の高速録音速度で録音させ、当該録音済記録媒体に関する識別情報と同一の識別情報を含む著作権用参照情報が登録されているときは、再生手段を制御して所定の規定速度で再生させながら録音手段を制御して所定の規定速度で録音させるようにしたこと、
を特徴とするダビング装置。
【請求項２】
曲別の音楽信号がディジタル記録された録音済記録媒体を所定の規定速度または該規定速度より高速な所定の高速再生速度で再生し、ディジタル音楽信号を出力する再生手段と、再生手段から入力したディジタル音楽信号を録音用記録媒体に所定の規定速度または該規定速度より高速な所定の高速録音速度でディジタル録音する録音手段と、録音済記録媒体に記録された内、指定された順序で１または複数の曲を録音用記録媒体に高速ダビングする指示が与えられると、当該録音済記録媒体に記録された当該１または複数の曲の各々について当該指定された順序で、再生手段を制御して所定の規定速度より高速な所定の高速再生速度で再生させながら録音手段を制御して録音用記録媒体に所定の規定速度より高速な所定の高速録音速度で録音させる高速ダビング制御手段と、を備えたダビング装置において、
高速ダビングした録音済記録媒体に関する識別情報と、前回の高速ダビングの指示に基づき高速ダビングを開始した高速ダビング開始時間からの経過時間を対応付けて著作権用参照情報として著作権用参照情報記憶手段に登録する登録手段と、
著作権用参照情報記憶手段に登録された著作権用参照情報の内、前回の高速ダビングの指示に基づき高速ダビングを開始した時間からの経過時間が所定の高速ダビング禁止時間を越えた著作権用参照情報を削除する削除手段を設け、
前記ダビング制御手段は、録音済記録媒体に記録された内、１または複数の曲を指定された順序で録音用記録媒体に高速ダビングする指示が与えられると、高速ダビングが指示された当該１または複数の曲の各々について当該指定された順序で見て、次にダビングすべき１つの曲のダビング開始時点で、当該録音済記録媒体に関する識別情報と同一の識別情報を含む著作権用参照情報が登録されていないときは、当該録音済記録媒体に記録された当該１または複数の曲の各々について当該指定された順序で、再生手段を制御して所定の規定速度より高速な所定の高速再生速度で再生させながら録音手段を制御して録音用記録媒体に所定の規定速度より高速な所定の高速録音速度で録音させ、当該録音済記録媒体に関する識別情報と同一の識別情報を含む著作権用参照情報が登録されているときは、再生手段を制御して所定の規定速度で再生させながら録音手段を制御して所定の規定速度で録音させるようにしたこと、
を特徴とするダビング装置。
【手続補正２】
【補正対象書類名】明細書
【補正対象項目名】００１７
【補正方法】変更
【補正の内容】
【００１７】
【課題を解決するための手段】
本発明の請求項１記載のダビング装置では、曲別の音楽信号がディジタル記録された録音済記録媒体を所定の規定速度または該規定速度より高速な所定の高速再生速度で再生し、ディジタル音楽信号を出力する再生手段と、再生手段から入力したディジタル音楽信号を録音用記録媒体に所定の規定速度または該規定速度より高速な所定の高速録音速度でディジタル録音する録音手段と、録音済記録媒体に記録された内、指定された順序で１または複数の曲を録音用記録媒体に高速ダビングする指示が与えられると、当該録音済記録媒体に記録された当該１または複数の曲の各々について当該指定された順序で、再生手段を制御して所定の規定速度より高速な所定の高速再生速度で再生させながら録音手段を制御して録音用記録媒体に所定の規定速度より高速な所定の高速録音速度で録音させる高速ダビング制御手段と、を備えたダビング装置において、高速ダビングした録音済記録媒体に関する識別情報と、前回の高速ダビングの指示に基づき高速ダビングを開始した高速ダビング開始時間を対応付けて著作権用参照情報として著作権用参照情報記憶手段に登録する登録手段と、著作権用参照情報記憶手段に登録された著作権用参照情報の内、前回の高速ダビングの指示に基づき高速ダビングを開始した時間からの経過時間が所定の高速ダビング禁止時間を越えた著作権用参照情報を削除する削除手段を設け、前記ダビング制御手段は、録音済記録媒体に記録された内、１または複数の曲を指定された順序で録音用記録媒体に高速ダビングする指示が与えられると、高速ダビングが指示された当該１または複数の曲の各々について当該指定された順序で見て、次にダビングすべき１つの曲のダビング開始時点で、当該録音済記録媒体に関する識別情報と同一の識別情報を含む著作権用参照情報が登録されていないときは、当該録音済記録媒体に記録された当該１または複数の曲の各々について当該指定された順序で、再生手段を制御して所定の規定速度より高速な所定の高速再生速度で再生させながら録音手段を制御して録音用記録媒体に所定の規定速度より高速な所定の高速録音速度で録音させ、当該録音済記録媒体に関する識別情報と同一の識別情報を含む著作権用参照情報が登録されているときは、再生手段を制御して所定の規定速度で再生させながら録音手段を制御して所定の規定速度で録音させるようにしたことを特徴としている。
請求項１によれば、前にも高速ダビングしたことの有る録音済記録媒体について、再び、１又は複数の曲を指定された順序で高速ダビングする指示がされたとき、前回の高速ダビング開始時間からまだ所定の高速ダビング禁止時間が経過していなければ、最初の方の曲は規定の速度でダビングが行われるので、ユーザが無駄に高速ダビング禁止時間が過ぎるのを待たなくて済み、或る曲のダビングが終わり、次の曲のダビングを開始しようとしたとき、高速ダビング禁止時間が過ぎていれば、以降は規定の速度より高速な所定速度でダビングが行われるので、全体として短い時間でダビングを完了できる。
また、前回高速ダビングを開始してから高速ダビング禁止時間の過ぎた録音済記録媒体について、著作権用参照情報が著作権用参照情報記憶手段から削除されるので、著作権用参照情報記憶手段の容量が少なくて済む。
本発明の請求項２記載のダビング装置では、曲別の音楽信号がディジタル記録された録音済記録媒体を所定の規定速度または該規定速度より高速な所定の高速再生速度で再生し、ディジタル音楽信号を出力する再生手段と、再生手段から入力したディジタル音楽信号を録音用記録媒体に所定の規定速度または該規定速度より高速な所定の高速録音速度でディジタル録音する録音手段と、録音済記録媒体に記録された内、指定された順序で１または複数の曲を録音用記録媒体に高速ダビングする指示が与えられると、当該録音済記録媒体に記録された当該１または複数の曲の各々について当該指定された順序で、再生手段を制御して所定の規定速度より高速な所定の高速再生速度で再生させながら録音手段を制御して録音用記録媒体に所定の規定速度より高速な所定の高速録音速度で録音させる高速ダビング制御手段と、を備えたダビング装置において、高速ダビングした録音済記録媒体に関する識別情報と、前回の高速ダビングの指示に基づき高速ダビングを開始した高速ダビング開始時間からの経過時間を対応付けて著作権用参照情報として著作権用参照情報記憶手段に登録する登録手段と、著作権用参照情報記憶手段に登録された著作権用参照情報の内、前回の高速ダビングの指示に基づき高速ダビングを開始した時間からの経過時間が所定の高速ダビング禁止時間を越えた著作権用参照情報を削除する削除手段を設け、前記ダビング制御手段は、録音済記録媒体に記録された内、１または複数の曲を指定された順序で録音用記録媒体に高速ダビングする指示が与えられると、高速ダビングが指示された当該１または複数の曲の各々について当該指定された順序で見て、次にダビングすべき１つの曲のダビング開始時点で、当該録音済記録媒体に関する識別情報と同一の識別情報を含む著作権用参照情報が登録されていないときは、当該録音済記録媒体に記録された当該１または複数の曲の各々について当該指定された順序で、再生手段を制御して所定の規定速度より高速な所定の高速再生速度で再生させながら録音手段を制御して録音用記録媒体に所定の規定速度より高速な所定の高速録音速度で録音させ、当該録音済記録媒体に関する識別情報と同一の識別情報を含む著作権用参照情報が登録されているときは、再生手段を制御して所定の規定速度で再生させながら録音手段を制御して所定の規定速度で録音させるようにしたことを特徴としている。
請求項２によれば、前にも高速ダビングしたことの有る録音済記録媒体について、再び、１又は複数の曲を指定された順序で高速ダビングする指示がされたとき、前回の高速ダビング開始時間からまだ所定の高速ダビング禁止時間が経過していなければ、最初の方の曲は規定の速度でダビングが行われるので、ユーザが無駄に高速ダビング禁止時間が過ぎるのを待たなくて済み、或る曲のダビングが終わり、次の曲のダビングを開始しようとしたとき、高速ダビング禁止時間が過ぎていれば、以降は規定の速度より高速な所定速度でダビングが行われるので、全体として短い時間でダビングを完了できる。
また、前回高速ダビングを開始してから高速ダビング禁止時間の過ぎた録音済記録媒体について、著作権用参照情報が著作権用参照情報記憶手段から削除されるので、著作権用参照情報記憶手段の容量が少なくて済む。


【手続補正３】
【補正対象書類名】明細書
【補正対象項目名】００５４
【補正方法】変更
【補正の内容】
【００５４】
【発明の効果】
本発明によれば、前にも高速ダビングしたことの有る録音済記録媒体について、再び、１又は複数の曲を指定された順序で高速ダビングする指示がされたとき、前回の高速ダビング開始時間からまだ所定の高速ダビング禁止時間が経過していなければ、最初の方の曲は規定の速度でダビングが行われるので、ユーザが無駄に高速ダビング禁止時間が過ぎるのを待たなくて済み、或る曲のダビングが終わり、次の曲のダビングを開始しようとしたとき、高速ダビング禁止時間が過ぎていれば、以降は規定の速度より高速な所定速度でダビングが行われるので、全体として短い時間でダビングを完了できる。
また、前回高速ダビングを開始してから高速ダビング禁止時間の過ぎた録音済記録媒体について、著作権用参照情報が著作権用参照情報記憶手段から削除されるので、著作権用参照情報記憶手段の容量が少なくて済む。